【手続補正書】
【提出日】平成16年8月4日(2004.8.4)
【手続補正１】
【補正対象書類名】明細書
【補正対象項目名】特許請求の範囲
【補正方法】変更
【補正の内容】
【特許請求の範囲】
【請求項１】
マトリクス状に表示素子を備え、入力される表示映像信号に基づき、走査信号ラインとデータ信号ラインとを制御して上記表示映像信号が示す映像を表示する表示デバイスに対し、上記データ信号ライン複数本を１つの組とし、上記データ信号ラインに与えるデータ信号を供給するデータ信号バスラインを上記データ信号ライン１組内のデータ信号ラインの本数と同数用意し、上記表示映像信号を複数の相に展開し、それによって複数に分割した分だけ信号周波数を落とし、かつ、分割された各信号の信号レベルの変化点タイミングをすべてのデータ信号バスラインについて揃え、上記表示映像信号に基づき１データ信号ラインずつ駆動した場合に割り当てられる時間ごとの信号レベルを、上記データ信号ライン１組あたりに割り当てられる時間分保持したアナログ映像信号を、上記データ信号バスラインに与え、同一の組のデータ信号ラインを同一のタイミングで動作させて、データ信号ラインを組ごとに順次駆動する表示デバイスの駆動システムにおいて、
デジタル映像信号として入力される上記表示映像信号を複数の相に展開する展開手段と、
複数の相に展開された上記デジタル映像信号をアナログ映像信号に変換するデジタル−アナログ変換回路とを備えたことを特徴とする表示デバイスの駆動システム。
【請求項２】
マトリクス状に表示素子が配置された表示デバイスと、
前記表示デバイスの外部に設けられ、表示映像信号を前記表示デバイスに供給する外部回路とを備え、
前記外部回路は、
デジタルの前記表示映像信号を複数の相に展開し、展開された複数の相のデジタルの各前記表示映像信号が有する信号レベルの変化点タイミングを揃えて出力する展開手段と、
前記保持手段が出力したデジタルの前記表示映像信号をアナログの前記表示映像信号に変換する変換手段とを含み、
前記表示デバイスは、
複数本のデータ信号ラインと、
前記データ信号ラインの複数本を一つの組とし、前記データ信号ラインに時分割してアナログの前記表示映像信号を供給する複数のデータ信号バスラインと、
同一の組のデータ信号ラインを、同一のタイミングで動作させて、データ信号ラインを組ごとに順次駆動する切り替え手段とを含むことを特徴とする表示デバイスの駆動システム。
【請求項３】
マトリックス状に表示素子を備えた表示デバイスと、上記表示デバイスの外部に設けられ上記表示デバイスにアナログ映像信号を供給する外部回路とを備え、
上記表示デバイスは、上記マトリックス状に配置された表示素子と、走査信号ラインと、データ信号ラインと、上記データ信号ライン複数本を一つの組とし、上記データ信号ラインに時分割してデータ信号を供給するデータ信号バスラインと、上記データ信号バスラインに入力され、上記データ信号ライン１組あたりに割り当てられたアナログ映像信号を同一の組のデータ信号ラインに順次切り替えて出力するスイッチング手段とを有し、
上記外部回路は、入力されたデジタル映像信号を上記データ信号バスラインの数に対応して複数の相に展開する展開手段と、上記複数の相に展開されたデジタル映像信号の各信号レベルの変化点タイミングを上記複数相において揃える手段と、上記複数の相に展開されかつ変化点タイミングが揃えられた上記デジタル映像信号をそれぞれアナログ映像信号に変換するデジタル−アナログ変換手段とを有することを特徴とする表示デバイスの駆動システム。
【請求項４】
マトリックス状に配置された表示素子と、走査信号ラインと、データ信号ラインと、上記データ信号ライン複数本を一つの組とし上記データ信号ラインに時分割してデータ信号を供給するデータ信号バスラインと、上記データ信号バスラインに入力され上記データ信号ライン１組当たりに割り当てられたアナログ映像信号を同一の組のデータ信号ラインに順次切り替えて出力するスイッチング手段とを備えた表示デバイスと、
デジタル映像信号を上記データ信号バスラインの数に対応して複数の相に展開する展開手段と、上記複数の相に展開されたデジタル映像信号の各信号レベルの変化点タイミングを上記複数相において揃える手段と、上記複数の相に展開されかつ変化点タイミングが揃えられた上記デジタル映像信号をそれぞれアナログ映像信号に変換するデジタル−アナログ変換手段とを備えた外部回路とを有し、
上記外部回路は上記表示デバイスの外部に設けられ、上位外部回路より上記表示デバイスの上記データ信号バスラインに、上記データ信号ライン一組当たりに割り当てられたアナログ映像信号を供給することを特徴とする表示デバイスの駆動システム。
【請求項５】
上記デジタル−アナログ変換回路が、複数の相に展開されたすべての上記デジタル映像信号を、共通の基準電圧を使用してアナログ信号化することを特徴とする請求項１ないし４のいずれかに記載の表示デバイスの駆動システム。
【請求項６】
投写型の表示デバイスにおいて、
請求項１ないし５のいずれかに記載の表示デバイスの駆動システムにて駆動されることを特徴とする表示デバイス。
【手続補正２】
【補正対象書類名】明細書
【補正対象項目名】０００８
【補正方法】変更
【補正の内容】
【０００８】
【課題を解決するための手段】
上記の課題を解決するため、本発明の表示デバイスの駆動システムは、マトリクス状に表示素子を備え、入力される表示映像信号に基づき、走査信号ラインとデータ信号ラインとを制御して上記表示映像信号が示す映像を表示する表示デバイスに対し、上記データ信号ライン複数本を１つの組とし、上記データ信号ラインに与えるデータ信号を供給するデータ信号バスラインを上記データ信号ライン１組内のデータ信号ラインの本数と同数用意し、上記表示映像信号を複数の相に展開し、それによって複数に分割した分だけ信号周波数を落とし、かつ、分割された各信号の信号レベルの変化点タイミングをすべてのデータ信号バスラインについて揃え、上記表示映像信号に基づき１データ信号ラインずつ駆動した場合に割り当てられる時間ごとの信号レベルを、上記データ信号ライン１組あたりに割り当てられる時間分保持したアナログ映像信号を、上記データ信号バスラインに与え、同一の組のデータ信号ラインを同一のタイミングで動作させて、データ信号ラインを組ごとに順次駆動する表示デバイスの駆動システムにおいて、デジタル映像信号として入力される上記表示映像信号を複数の相に展開する展開手段と、複数の相に展開された上記デジタル映像信号をアナログ映像信号に変換するデジタル−アナログ変換回路とを備えたことを特徴としている。
また、本発明の表示デバイスの駆動システムは、マトリクス状に表示素子が配置された表示デバイスと、前記表示デバイスの外部に設けられ、表示映像信号を前記表示デバイスに供給する外部回路とを備え、前記外部回路は、デジタルの前記表示映像信号を複数の相に展開し、展開された複数の相のデジタルの各前記表示映像信号が有する信号レベルの変化点タイミングを揃えて出力する展開手段と、前記保持手段が出力したデジタルの前記表示映像信号をアナログの前記表示映像信号に変換する変換手段とを含み、前記表示デバイスは、複数本のデータ信号ラインと、前記データ信号ラインの複数本を一つの組とし、前記データ信号ラインに時分割してアナログの前記表示映像信号を供給する複数のデータ信号バスラインと、同一の組のデータ信号ラインを、同一のタイミングで動作させて、データ信号ラインを組ごとに順次駆動する切り替え手段とを含んでいることを特徴としている。
また、本発明の表示デバイスの駆動システムは、マトリックス状に表示素子を備えた表示デバイスと、上記表示デバイスの外部に設けられ上記表示デバイスにアナログ映像信号を供給する外部回路とを備え、上記表示デバイスは、上記マトリックス状に配置された表示素子と、走査信号ラインと、データ信号ラインと、上記データ信号ライン複数本を一つの組とし、上記データ信号ラインに時分割してデータ信号を供給するデータ信号バスラインと、上記データ信号バスラインに入力され、上記データ信号ライン１組あたりに割り当てられたアナログ映像信号を同一の組のデータ信号ラインに順次切り替えて出力するスイッチング手段とを有し、上記外部回路は、入力されたデジタル映像信号を上記データ信号バスラインの数に対応して複数の相に展開する展開手段と、上記複数の相に展開されたデジタル映像信号の各信号レベルの変化点タイミングを上記複数相において揃える手段と、上記複数の相に展開されかつ変化点タイミングが揃えられた上記デジタル映像信号をそれぞれアナログ映像信号に変換するデジタル−アナログ変換手段とを有することを特徴としている。
【手続補正３】
【補正対象書類名】明細書
【補正対象項目名】００６０
【補正方法】変更
【補正の内容】
【００６０】
【発明の効果】
以上のように、本発明の表示デバイスの駆動システムは、デジタル映像信号として入力される上記表示映像信号を複数の相に展開する展開手段と、複数の相に展開された上記デジタル映像信号をアナログ映像信号に変換するデジタル−アナログ変換回路とを備えた構成である。
また、本発明の表示デバイスの駆動システムは、マトリクス状に表示素子が配置された表示デバイスと、前記表示デバイスの外部に設けられ、表示映像信号を前記表示デバイスに供給する外部回路とを備え、前記外部回路は、デジタルの前記表示映像信号を複数の相に展開し、展開された複数の相のデジタルの各前記表示映像信号が有する信号レベルの変化点タイミングを揃えて出力する展開手段と、前記保持手段が出力したデジタルの前記表示映像信号をアナログの前記表示映像信号に変換する変換手段とを含み、前記表示デバイスは、複数本のデータ信号ラインと、前記データ信号ラインの複数本を一つの組とし、前記データ信号ラインに時分割してアナログの前記表示映像信号を供給する複数のデータ信号バスラインと、同一の組のデータ信号ラインを、同一のタイミングで動作させて、データ信号ラインを組ごとに順次駆動する切り替え手段とを含んでいる構成である。
また、本発明の表示デバイスの駆動システムは、マトリックス状に表示素子を備えた表示デバイスと、上記表示デバイスの外部に設けられ上記表示デバイスにアナログ映像信号を供給する外部回路とを備え、上記表示デバイスは、上記マトリックス状に配置された表示素子と、走査信号ラインと、データ信号ラインと、上記データ信号ライン複数本を一つの組とし、上記データ信号ラインに時分割してデータ信号を供給するデータ信号バスラインと、上記データ信号バスラインに入力され、上記データ信号ライン１組あたりに割り当てられたアナログ映像信号を同一の組のデータ信号ラインに順次切り替えて出力するスイッチング手段とを有し、上記外部回路は、入力されたデジタル映像信号を上記データ信号バスラインの数に対応して複数の相に展開する展開手段と、上記複数の相に展開されたデジタル映像信号の各信号レベルの変化点タイミングを上記複数相において揃える手段と、上記複数の相に展開されかつ変化点タイミングが揃えられた上記デジタル映像信号をそれぞれアナログ映像信号に変換するデジタル−アナログ変換手段とを有する構成である。